(57)【要約】      （修正有）【課題】不使用時に放射性物質が吐出口に付着したり吐出口から内に侵入したりするのを防止する飲料水吐出口用キャップを提供する。【解決手段】飲料水のパイプ状の吐出口に、当該吐出口を遮蔽するためのキャップ体２を取り外し可能に取り付ける。吐出口は、水道水の蛇口１５の吐出口、浄水器１０の浄水吐出口１３、又は給水器の給水吐出口である。キャップ体２は、吐出口に嵌合させて被せるように形成され、このキャップ体２に、紐状保持部材３の一端を連結し、この紐状保持部材３の他端を取付部材４ａに連結し、この取付部材４ａを、吐出口、浄水器１０又は給水器に取り付ける。【選択図】図２
0003186118.tif 000002
【実用新案登録請求の範囲】
【請求項１】
飲料水のパイプ状の吐出口に、当該吐出口を遮蔽するためのキャップ体を取り外し可能に取り付けたことを特徴とする飲料水吐出口用キャップ。
【請求項２】
前記吐出口は、水道水の蛇口の吐出口、浄水器の浄水吐出口又は給水器の給水吐出口であり、前記キャップ体は、前記吐出口に嵌合させて被せるように形成され、このキャップ体に、紐状保持部材の一端を連結し、この紐状保持部材の他端を取付部材に連結し、この取付部材を、前記吐出口、前記浄水器又は前記給水器に取り付けた請求項１に記載の飲料水吐出口用キャップ。
【請求項３】
前記取付部材は、前記蛇口、浄水器又は給水器に取り外し可能に取り付けられる請求項２に記載の飲料水吐出口用キャップ。
【請求項４】
前記取付部材は、係合部材、締付け部材、磁石、又は粘着剤で形成されている請求項２又は３に記載の飲料水吐出口用キャップ。
【請求項５】
前記紐状保持部材は、鎖、テープ、紐又はベルトで形成されている請求項２〜４のいずれか１項に記載の飲料水吐出口用キャップ。
【請求項６】
前記キャップ体は、前記吐出口に取り外し可能に取り付けられ、前記吐出口からの飲料水が流出する流出部を有する取付部と、前記取付部に連結され前記流出部を開閉するキャップ部とを備えた請求項１に記載の飲料水吐出口用キャップ。
【請求項７】
前記取付部に、前記キャップ部を閉位置に解除可能にロックするロック手段を設け、
前記ロックが解除された前記キャップ部を閉位置から開位置に回転させてから開位置に保持する開動作保持手段を設けた請求項６に記載の飲料水吐出口用キャップ。
【考案の詳細な説明】
【技術分野】
【０００１】
本考案は、飲料水の吐出口に装着される飲料水吐出口用キャップに関するものである。
【背景技術】
【０００２】
先の福島第一原子力発電所の事故により、放射性物質の一つである放射性セシウムが水道水や井戸水などの飲料水に含まれる事態になった。一般家庭に供給される水道水は、セシウムが基準値以下のものではあるが、特に、事故の影響を受けて、飲料水用の蛇口に浄水器を取り付け飲料水例えば水道水を浄化することが家庭で行われている。浄水器としては、例えば、濾過材を充填した交換可能なカートリッジを備えたものがあり（例えば、特許文献１参照。）、水道水のにおいを消したり微細なゴミを除去したりするためのものであったが、放射性セシウムを除去できる浄水器や、放射性セシウムの除去を目的とした除去器（本考案では、これらをまとめて「浄水器」という。）するものも提案されている。このような浄水器を飲料水用の蛇口に取り付けることで、飲料水のセシウム除去が可能とされる。
【先行技術文献】
【特許文献】
【０００３】
【特許文献１】特公平７−６５６９４号公報
【考案の概要】
【考案が解決しようとする課題】
【０００４】
ところで、浄水器を通した飲料水は、例えばパイプ状の吐出口から吐出されるが、その吐出口は、使用しない場合には常に開放されているので、空気中に浮遊している放射性物質例えば放射性セシウムが吐出口に付着したり吐出口内に侵入したりするおそれがある。
本考案が解決しようとする課題は、不使用時に放射性物質が吐出口に付着したり吐出口内に侵入したりするのを防止する飲料水吐出口用キャップを提供することにある。
【課題を解決するための手段】
【０００５】
前記課題を解決するため本考案に係る飲料水吐出口用キャップは、飲料水のパイプ状の吐出口に、当該吐出口を遮蔽するためのキャップ体を取り外し可能に取り付けたことを特徴とする。
【０００６】
この考案では、吐出口は、水道水の蛇口の吐出口、浄水器の浄水吐出口又は給水器の給水吐出口であり、キャップ体は、吐出口に嵌合させて被せるように形成され、このキャップ体に、紐状保持部材の一端を連結し、この紐状保持部材の他端を取付部材に連結し、この取付部材を、吐出口、浄水器又は給水器に取り付けるようにしてもよい。取付部材は、蛇口、浄水器又は水供給器に取り外し可能に取り付けることができる。また、また、取付部材は、係合部材、締付け部材、磁石又は粘着剤で形成されている。さらに、紐状保持部材は、鎖、テープ、紐又はベルトで形成されている。
【０００７】
また、キャップ体は、吐出口に取り外し可能に取り付けられ、吐出口からの飲料水が流出する流出部を有する取付部と、取付部に連結され前記流出部を開閉するキャップ部とを備えるようにしてもよい。取付部に、キャップ部を閉位置に解除可能にロックするロック手段を設け、ロックが解除されたキャップ部を閉位置から開位置に回転させてから開位置に保持する開動作保持手段を設けることができる。
【考案の効果】
【０００８】
本考案によれば、不使用時に放射性物質が吐出口に付着したり吐出口内に侵入したりするのを防止することができる。
【図面の簡単な説明】
【０００９】
【図１】本考案に係る本実施形態の第１の飲料水吐出口用キャップの一例を示す斜視図である。
【図２】本実施形態の第１の飲料水吐出口用キャップの他の例を示す斜視図である。
【図３】本実施形態の第１の飲料水吐出口用キャップの別の例を示す斜視図である。
【図４】本実施形態の第２の飲料水吐出口用キャップの一例で閉状態を示す側面図である。
【図５】本実施形態の第２の飲料水吐出口用キャップの一例で開状態を示す側面図である。
【考案を実施するための形態】
【００１０】
以下、本考案に係る飲料水吐出口用キャップの実施形態例を添付図面に基づいて説明する。図１に示すように、第１の飲料水吐出口用キャップ１は、飲料水のパイプ状の吐出口に、当該吐出口を遮蔽するためのキャップ体２を取り外し可能に取り付けるものである。吐出口は、水道水が直接吐出される蛇口１５の吐出口１６、浄水器１０の浄水吐出口１３又は給水器の給水吐出口であり、本実施の形態では浄水器１０の浄水吐出口１３について説明する。
【００１１】
浄水器１０は、例えば、図１及び図２に示すように蛇口１５に取り付けられるものや図３に示すように蛇口１５の近傍に取り付けられるもの等である。浄水器１０としては、例えば、切替えレバー１２及びパイプ状の浄水吐出口１３を有する浄水器本体１１と、浄水器本体１１に取り外し可能に装着されて放射性物質例えば放射性セシウムを水分中から除去し得る濾過材を充填したカートリッジとを備えている。切替えレバー１２は、カートリッジを通過させて水道水を浄化する浄化操作と、水道水をカートリッジを通過させない非浄化操作との切り替えを行うもので、浄化された水は、浄水吐出口１３から吐出されるようになっている。
【００１２】
キャップ体２は、浄水器１０の浄水吐出口１３に着脱可能に嵌合して被せられて、浄水吐出口１３を遮蔽して外気が浄水吐出口１３内に侵入するのを防止するものである。キャップ体２は、例えば、合成樹脂等により浄水吐出口１３が着脱可能に嵌合されて閉塞されるように断面凹状に形成されている。キャップ体２の凹部の開口径（内径）は、例えば、浄水吐出口１３の開口部の外径より若干小さな寸法の開口径で形成されている。
【００１３】
また、キャップ体２には、図２及び図３に示すように、浄水器１０に取り付けられる紐状保持部材３が連結されていることが好ましい。紐状保持部材３は、キャップ体２を浄水吐出口１３から取り外したとき、キャップ体２を浄水器１０に保持させるもので、特に限定されず、例えば、鎖、テープ、紐又はベルト等で形成されている。
【００１４】
紐状保持部材３の一端は、キャップ体２に連結されている。例えば、キャップ体２と紐状保持部材３が合成樹脂等により一体に形成されて連結されている。キャップ体２と紐状保持部材３は、紐状保持部材３をキャップ体２とは別の材料で形成しキャップ体２に取り付けて連結してもよい。紐状保持部材３のキャップ体２への連結位置は、キャップ体２の開口端部、周面（側面）、端面等特に限定されず、例えば、図２及び図３に示すように、キャップ体２の開口端部の一部である。
【００１５】
紐状保持部材３の他端は、浄水器１０に取り付けられている取付部材に連結されている。取付部材は、浄水器１０へ取り付けることができれば特に限定されず、例えば、フック部材などの係合部材、結束バンドや弾性部材などの締付け部材、一対の挟持片による挟持部材、磁石、又は両面粘着テープなどの粘着剤等を用いて形成するようにしてもよい。取付部材の取付箇所は、浄水吐出口１３、浄水器本体１１等である。具体的には例えば、図２に示すように、浄水器１０の浄水吐出口１３を形成するパイプであってもよい。このとき、紐状保持部材３の他端に、パイプ状の浄水吐出口１３の外径より内径が大きなリング部４ａを取付部材として形成して、このリング部４ａ内にパイプ状の浄水吐出口１３を通すようにリング部４ａをパイプ状の浄水吐出口１３に引掛けて係合させるようにしてもよいし、パイプ状の浄水吐出口１３の外径より内径が小さくかつ弾性力を有するリング部を取付部材として形成して、このリング部を弾性力に抗して拡径してこのリング部３ａ内にパイプ状の浄水吐出口１３を通してリング部の弾性力によりリング部４ａをパイプ状の浄水吐出口１３に取り付けるようにしてもよい。また、図３に示すように、紐状保持部材３の他端に、磁石や粘着剤等を有する取付部材としての取付体４ｂを取り付け、このような取付体４ｂを浄水器本体１１（例えば浄水器本体１１の側面）に取り付けるようにしてもよい。
【００１６】
次に、上記のように構成した第１の飲料水吐出口用キャップ１を使用する場合について説明する。浄水器１０で水道水を浄化する場合には、切替えレバー１２を水道水がカートリッジを通過するようにしておき、浄水吐出口１３にキャップ体２が被せられている場合にはキャップ体２を浄水吐出口１３から取り外す。キャップ体２を取り外した状態で、水道水の蛇口をひねると、水道水が浄水器１０で浄化されてから浄水吐出口１３から吐出される。
【００１７】
浄水器１０を使用しない時（不使用時）には、キャップ体２を浄水吐出口１３に嵌合させて被せる。これにより、浄水吐出口１３がキャップ体２によって閉塞されて外気が浄水吐出口１３内に侵入するのが防止されるので、不使用時に放射性物質例えば放射性セシウムが浄水吐出口１３に付着したり浄水吐出口１３から浄水吐出口１３内や浄水器本体１１内に侵入したりするのを防止できる。その結果、浄水器１０で水道水を浄化して使用する場合には、空気中に浮遊している放射性物質例えば放射性セシウムが浄水吐出口１３に付着したりして浄化した水道水に含まれるおそれがない。
【００１８】
図２及び図３に示すように、キャップ体２に紐状保持部材３が連結されている場合には、例えば、その紐状保持部材３に連結されている取付部材（リング部４ａ、取付体４ｂ）をパイプ状の浄水吐出口１３や浄水器本体１１に取り付ける。すなわち、紐状保持部材３を介してキャップ体２を浄水器１０に連結しておく。これにより、浄水吐出口１３にキャップ体２を被せていないとき、キャップ体２が浄水器本体１１に保持されるので、キャップ体２が紛失することがなくなる。
【００１９】
図４及び図５は、第２の飲料水吐出口用キャップを示す図である。図４及び図５に示すように、第２の飲料水吐出口用キャップ５は、キャップ体２が、吐出口１７に取り外し可能に取り付けられる取付部６と、取付部６に連結されるキャップ部７とからなるものである。キャップ体２が取り付けられる吐出口１７は、飲料水が吐出される吐出口であれば特に限定されず、例えば、蛇口１５の吐出口１６、浄水吐出口１３又は給水吐出口等である。
【００２０】
取付部６は、例えば、内径が異なる大径部である装着部６１と小径部である流出部６２とからなる略円筒状に形成されている。装着部６１は、吐出口１７に密着した状態で取り外し可能に取り付けられるものであり、例えば、吐出口１７に着脱可能に嵌合され得る内径で形成されたり、吐出口１７に螺合されるネジが内面に形成されたりしている。取付部６内の装着部６１と流出部６２との段部には、リング状のパッキン６３が設けられている。これにより、取付部６を吐出口１７に取り付けたときに、吐出口１７の開口端部がパッキン６３に押し付けられて吐出口１７の開口端部がシールされ得るようになっている。すなわち、流出部６２が飲料水が吐出される吐出口となる。
【００２１】
取付部６の外周の例えば略中央には、径方向外方に突出された（拡径された）リング状の突部６４が設けられている。突部６４には、先方に回転軸６５が取り付けられた支持片６６が設けられている。また、支持片６６と反対側の取付部６の外周には、フック部材８１が係合位置と解除位置に移動（回転）し得るように回転可能に取り付けられている。さらに、取付部６には、フック部材８１を係合位置に付勢する弾性部材例えばスプリング８３が設けられている。これにより、フック部材８１は、外力が作用されていないときには、係合位置にスプリング８３の付勢力で保持され、外力を作用させてスプリング８３の付勢力に抗して係合位置から解除位置に移動させることができ、この外力を解除すると、係合位置に戻るようになっている。
【００２２】
キャップ部７は、例えば、流出部６２を覆い閉塞する略断面凹状に形成されている。キャップ部７の外周の開口端部近傍には、径方向外方に延びる取付片７１が設けられている。取付片７１の先方は、取付部６の回転軸６５に回転可能に取り付けられて、流出部６２を閉じる閉位置と流出部６２を開放する開位置にキャップ部７が移動（回転）するようになっている。すなわち、キャップ部７が取付部６に開閉可能に取り付けられている。キャップ部７には、開動作保持手段９を構成する弾性部材例えば回転軸６５の外周に設けられたスプリング９１の一端が係合されている。スプリング９１の他端は、キャップ部７の取付片６６に係合されて、キャップ部７を開位置に付勢するようになっている。すなわち、キャップ部７は、スプリング９１の付勢力で開位置に保持され、外力を作用させてスプリング９１の付勢力に抗して開位置から閉位置に回転（移動）させることができ、この外力を解除すると、開位置に戻るようになっている。
【００２３】
また、取付片７１と反対側のキャップ部７の外周には、フック部材８１が係合する係合凹部８２が設けられている。これにより、キャップ部７が閉位置に位置されると、フック部材８１が係合凹部８２に係合してキャップ部７が閉位置にロックされるようになっている。フック部材８１と係合凹部８２によって、キャップ部７を閉位置に解除可能にロックするロック手段８が構成されるが、ロック手段８は、他の構成でキャップ部７を閉位置に解除可能にロックするようにしてもよい。また、フック部材をキャップ部７に取り付け、係合凹部を取付部６に設けるようにしてもよい。さらに、フック部材８１は、キャップ部７を開位置から閉位置に移動させたとき、フック部材８１を操作することなくフック部材８１が係合凹部８２に係合するように形成されていることが好ましい。
【００２４】
キャップ部７内の底部には、キャップ部７が閉位置に位置されたときに流出部６２の開口端部をシールするためのパッキン７３が設けられている。また、キャップ部７の外周には、キャップ部７が閉位置に位置されたとき、フック部材８１の操作を行えない非操作位置とフック部材８１の操作を行える操作位置に移動し得るカバー９５が設けられていることが好ましい。カバー９５は、非操作位置のとき、フック部材８１を覆うように形成されていることが好ましい。
【００２５】
このように第２の飲料水吐出口用キャップ５を構成しても、不使用時に放射性物質が吐出口１７に付着したり吐出口１７内に侵入したりするのを防止することができる。すなわち、水を使用する場合には、キャップ部７を開位置に保持させることで、流出部６２から水を吐出させられる。
【００２６】
水を使用しない場合には、キャップ部７を閉位置に位置させた状態でフック部材８１を係合凹部８２に係合させてロックする。これにより、流出部６２及び吐出口１７が閉塞されて外気が吐出口１７内に侵入するのが防止されるので、不使用時に放射性物質例えば放射性セシウムが吐出口１７に付着したり吐出口１７から吐出口１７内や浄水器、給水器の内部に侵入したりするのを防止できる。
【００２７】
流出部６２及び吐出口１７がキャップ部７で閉じられているとき、フック部材８１を係合位置から解除位置に移動させると、キャップ部７は、スプリング９１の付勢力により閉位置から開位置に移動し、かつ、開位置に保持されるので、水を使用したい場合には、フック部材８１のキャップ部７への係合を解除する１つの操作だけすなわち簡単な操作でキャップ部７で閉じられた流出部６２及び吐出口１７を開けることができる。
【００２８】
開いたキャップ５３を閉じるとき、キャップ部７を開位置から閉位置に移動（回転）させると、キャップ部７がフック部材８１に係合して閉位置にロックされるので、キャップ部７を閉じたい場合には、キャップ部７を移動（回転）する１つの操作だけすなわち簡単な操作でキャップ部７で流出部６２及び吐出口１７を閉じることができる。
【００２９】
キャップ部７で流出部６２及び吐出口１７を閉じた状態のとき、カバー９５を非操作位置に位置させると、フック部材８１の操作を行えないので、キャップ部７が誤って開くことがない。すなわち、キャップ部７を開ける意思がないのに、フック部材８１に触れたりぶつかったりしてキャップ部７が誤って開くことを防止できる。
【符号の説明】
【００３０】
１  飲料水吐出口用キャップ
２  キャップ体
３  紐状保持部材
４ａ  リング部（取付部材）
４ｂ  取付体（取付部材）
５  飲料水吐出口用キャップ
６  取付部
７  キャップ部
８  ロック手段
９  開動作保持手段
１０  浄水器
１３  浄水吐出口
１５  蛇口
１６  吐出口
１７  吐出口
【図１】
0003186118.tif 000003
【図２】
0003186118.tif 000004
【図３】
0003186118.tif 000005
【図４】
0003186118.tif 000006
【図５】
0003186118.tif 000007